(57)【要約】      （修正有）【課題】質感や素材感に富んだ外観を有し、柔らかな音をたてながらゆらゆら揺れて、壊れず角の無い形状で、安心して楽しく遊べる起き上がり玩具を提供する。【解決手段】底面が球面状に形成された揺動本体１０と、揺動本体１０の内部に収納される音発生手段２０と、揺動本体１０の内部に形成された、音発生手段２０を収納可能な収納部３０と、揺動本体１０の上面に配置される装飾体を備えた蓋部と、を備え、収納部３０は、音発生手段２０が収納された状態において、音発生手段２０の底面側及び側面側に所定の共鳴空間３１，３２を形成する構成としてある。【選択図】図３
0003218166.tif 000002
【実用新案登録請求の範囲】
【請求項１】
底面が球面状に形成された揺動本体と、
前記揺動本体の内部に収納される音発生手段と、
前記揺動本体の内部に形成された、前記音発生手段を収納可能な収納部と、
前記揺動本体の上面に配置される装飾体を備えた蓋部と、を備え、
前記収納部は、前記音発生手段が収納された状態において、前記音発生手段の底面側及び側面側に所定の共鳴空間を形成する
ことを特徴とする起き上がり玩具。
【請求項２】
前記蓋部が、前記収納部に収納された音発生手段の上方周囲に、前記共鳴空間を前記揺動本体の外部と連通させる空間を形成する
ことを特徴とする請求項１記載の起き上がり玩具。
【請求項３】
前記揺動本体と前記蓋部が、木製である
ことを特徴とする請求項１又は２記載の起き上がり玩具。
【考案の詳細な説明】
【技術分野】
【０００１】
本考案は、押されることで揺動し、自重によって揺動しながら静止状態に戻る起き上がり玩具に関する。
【背景技術】
【０００２】
一般に、ダルマや起き上がり小法師などとして知られる、押されることで揺動し、自重によって揺動しながら静止状態（重心位置）に戻る起き上がり玩具は、主に乳幼児向けの玩具・おもちゃとして古くから提供されている。
この種の起き上がり玩具は、揺動可能な球面形状の底面を有する本体の内部に、オルゴールなどの音を発生させる手段が内蔵され、本体が押されることで揺動し、内部のオルゴールが鳴りながら、次第に静止状態に戻るようになっている。
このような起き上がり玩具に関する先行技術としては、例えば特許文献１に提案されている「自力起き上がり玩具」などがある。
【先行技術文献】
【特許文献】
【０００３】
【特許文献１】特開２００３−２６０２７５号公報
【考案の概要】
【考案が解決しようとする課題】
【０００４】
以上のような起き上がり玩具は、特許文献１に記載されているものを含めて、軽量化や低コスト化等を考慮して、本体が例えばポリウレタンなどの合成樹脂によって中空状に形成されており、内部にオルゴールなどの音発生手段とともに重りとなる錘体が配置される構造となっていた。
ところが、合成樹脂製の本体は、中空状に構成されることとも相まって、強度が弱く、例えば強く押されたり握られたり高所から落下されるなどの外力が加わることで、簡単に凹んだり破損してしまうことがあった。
【０００５】
このため、特に乳幼児が破損部分によって怪我をする可能性などもあり、子供用の玩具としては、壊れにくくより安心して遊べるようにすることが望ましい。
また、合成樹脂製の起き上がり玩具は、質感や素材感などに乏しく、安価なおもちゃという印象が強く、この点についても改良されることが望ましい。
【０００６】
ここで、玩具の質感や高級感を高めるために、玩具を構成する各部を木製とすることが考えられる。木製の玩具は、質感や手触りなどが良く、見た目にも高級感があり、玩具の素材として好ましいものとなる。
しかしながら、起き上がり玩具の本体などを単に木製としただけでは、内部にオルゴールなどの音発生手段を収納するための空間をどのように確保すべきか、また、音発生手段の音をどのように外部まで聞こえるように響かせるかなど、合成樹脂製の玩具では生じない新たな問題が発生する。
【０００７】
本考案は、上記の事情に鑑みてなされたものであり、質感や素材感に富んだ外観を有し、柔らかな音を外部に響かせながらゆらゆら揺れて、壊れず角の無い形状で、安心して楽しく遊べる起き上がり玩具の提供を目的とする。
【課題を解決するための手段】
【０００８】
上記目的を達成するため、本考案の起き上がり玩具は、底面が球面状に形成された揺動本体と、前記揺動本体の内部に収納される音発生手段と、前記揺動本体の内部に形成された、前記音発生手段を収納可能な収納部と、前記揺動本体の上面に配置される装飾体を備えた蓋部と、を備え、前記収納部は、前記音発生手段が収納された状態において、前記音発生手段の底面側及び側面側に所定の共鳴空間を形成する構成としてある。
また、本考案の起き上がり玩具は、前記蓋部が、前記収納部に収納された音発生手段の上方周囲に、前記共鳴空間を前記揺動本体の外部と連通させる空間を形成する構成としてある。
また、本考案の起き上がり玩具は、前記揺動本体と前記蓋部が、木製である構成としてある。
【考案の効果】
【０００９】
本考案によれば、質感や素材感に富んだ外観を有し、柔らかな音を外部に響かせながらゆらゆら揺れて、壊れず角の無い形状で、安心して楽しく遊べる起き上がり玩具を提供することができる。
【図面の簡単な説明】
【００１０】
【図１】本考案の一実施形態に係る起き上がり玩具の完成状態の外観を示す、（ａ）は斜視図、（ｂ）は正面図である。
【図２】本考案の一実施形態に係る起き上がり玩具の分解状態の外観斜視図である。
【図３】本考案の一実施形態に係る起き上がり玩具の揺動本体の断面正面図である。
【考案を実施するための形態】
【００１１】
［起き上がり玩具］
以下、本考案の起き上がり玩具の好ましい実施形態について、図面を参照しつつ説明する。
図１〜図３に示すように、本実施形態に係る起き上がり玩具１は、揺動本体１０，音発生手段２０，収納部３０，蓋部４０の各部によって構成されている。
揺動本体１０と蓋部４０とは、互いに係合・組立が可能な木製で形成されており、揺動本体１０の収納部３０に音発生手段２０が収納された状態で、揺動本体１０の上面に蓋部４０が配置・嵌合されて組み立てられることで、起き上がり玩具１が完成状態となる。
【００１２】
［揺動本体］
揺動本体１０は、底面が球面状に形成されたほぼ半球体形状に形成されており、起き上がり玩具１の本体を構成している。
揺動本体１０を構成する半球体は、底面側が側面側にわたり球面状に、上面側が平面状に形成・木工加工されており、球面状部と平面状部との連続する部分は面取り加工により丸みを帯びた曲面状に形成・加工されている。
【００１３】
ここで、揺動本体１０の底面は、本実施形態では、図１（ｂ）や図３に示すように、設置面に接触する頂部まで曲面状となる完全な球面形状に形成されている。このような構成により、揺動本体１０は、わずかな力が加わっても滑らかに揺動できるようになり、起き上がり玩具１を常にゆらゆらと揺らすことができる。
但し、揺動本体１０の底面の頂部に、設置面と面接触可能な平面状部を設けることも可能である。そのようにすると、揺動本体１０を安定した静止状態に保つことができるようになる。
【００１４】
そして、揺動本体１０の中心に、オルゴールによって構成される音発生手段２０を収納可能な収納空間となる収納部３０が備えられている（図２及び図３参照）。
収納部３０は、音発生手段２０が収納でき、かつ、音発生手段２０の周囲に共鳴空間３１，３２が形成されるように、所定の大きさ・形状に設定され、揺動本体１０を構成する木部材にたいして切削加工等によって形成される。
収納部３０の詳細については、図３を参照しつつ後述する。
【００１５】
また、揺動本体１０の上面には、収納部３０の開口周縁に沿って、取付穴１１が形成されており、この取付穴１１に対して蓋部４０の脚部４４が挿入・係合することにより、揺動本体１０の上面中心に蓋部４０が取り付けられるようになっている。
本実施形態では、収納部３０の開口周縁に沿って、４５度間隔で８個の取付穴１１が形成されるようになっている。このような取付穴１１を介した組立構造により、揺動本体１０と蓋部４０は、ネジなどの治具や取付部材を必要とすることなく、木製部材同士の嵌め合い構造のみによって組み立てることができるようになる。
なお、取付穴１１の数や位置などは、上記の例は一例であって、適宜設定・変更できることは勿論である。
【００１６】
［音発生手段］
音発生手段２０は、揺動本体１０の内部に収納され、揺動本体１０の揺動・揺れによって美しい音色や聴き心地の良い音やメロディーなどを発生させる手段となっている。
本実施形態では、音発生手段２０が、オルゴールによって構成されている。
オルゴールは、図２及び図３に示すように、中空筒（円筒）状に構成されたケース体の内部に長さの異なる複数の振動発音棒が立設されるとともに、ケース体の上部を覆う蓋部から揺動可能に吊下げられた打撃槌を備え（図３に点線で示す振動発音棒・打撃槌参照）、揺動本体１０の揺動によって打撃槌が揺動して振動発音棒に当たることによって、複数の振動発音棒から音が発生されるようになっている。
そして、以上のようなオルゴールによって構成される音発生手段２０が、揺動本体１０の収納部３０に収納されるようになっている。
【００１７】
［収納部］
収納部３０は、揺動本体１０の内部に形成された、音発生手段２０を収納可能な収納空間である。
本実施形態の収納部３０は、図３に示すように、木製の揺動本体１０の上面側から底面側に向かって段階的に穿設された複数段の円筒凹形状の空間となっている。
【００１８】
具体的には、収納部３０は、オルゴールで構成される音発生手段２０の外径より小さい内径の第一の凹部３０ａと、音発生手段２０の外径とほぼ同一で若干大きい内径の第二の凹部３０ｂと、音発生手段２０の外径より大幅に大きい内径の第三の凹部３０ｃの三つの凹部が同心円状に形成されている。また、これら三つの凹部は、それぞれ所定の深さ（高さ）となるように形成されている。
そして、このような収納部３０によって、音発生手段２０が収納部３０に収納されると、図３に示すように、音発生手段２０の底面側及び側面側に所定の広さ（深さ・幅）を有する共鳴空間３１，３２が形成されるようになる。
【００１９】
例えば、揺動本体１０の上面部が直径１５０ｍｍで、音発生手段２０が外径５３ｍｍ・高さ８０ｍｍの円筒形状の場合には、第一の凹部３０ａの穴径（幅）が４０ｍｍ、第二の凹部３０ｂの穴径が５４ｍｍ、第三の凹部３０ｃの穴径が８０ｍｍに形成される。
また、揺動本体１０の上面部から底面部までの高さが７５ｍｍの場合に、第一の凹部３０ａの穴の深さ（高さ）が６５ｍｍ、第二の凹部３０ｂの穴の深さが６０ｍｍ、第三の凹部３０ｃの穴の深さが４０ｍｍに形成される。
【００２０】
このような構成により、図３に示すように、筒状の音発生手段２０が第二の凹部３０ｂにぴったりと係合した状態で収納されると、音発生手段２０の底面側には、幅４０ｍｍ・深さ５ｍｍの共鳴空間３１が形成され、また、音発生手段２０の側面側（外周側）には幅１３ｍｍ・深さ４０ｍｍの共鳴空間３２が形成される。
また、音発生手段２０の上面側は、揺動本体１０の上面から２０ｍｍほど露出するようになる。
【００２１】
これによって、揺動本体１０の揺動によって音発生手段２０から発せられる音が、底面側及び側面側の共鳴空間３１，３２によって共鳴・増幅されて、揺動本体１０の外部に美しい音色として響き渡るようになる。
なお、上述した揺動本体１０及び収納部３０の大きさや形状は一例であり、揺動本体１０を含む起き上がり玩具１の大きさや形状、音発生手段２０の大きさや形状などに応じて、揺動本体１０や収納部３０の大きさ・形状は適宜設定・変更することができることは言うまでもない。
【００２２】
［蓋部］
蓋部４０は、揺動本体１０の上面に配置される装飾体４１を備えた蓋・カバー手段である。
本実施形態では、蓋部４０は、装飾体４１と台座部４２，スペーサ部４３，脚部４４の各部を備えて構成されている。
これら蓋部４０を構成する装飾体４１，台座部４２，スペーサ部４３，脚部４４の各部は、それぞれ木部材によって所定の形状・大きさに形成され、各部が組み立てられることで蓋部４０が形成されるようになっている。
【００２３】
装飾体４１は、半球体と、半球体の上面に半球体よりも小さい３つの球体が紐などで連結されて構成される。
台座部４２は、装飾体４１が搭載・接合される台座であって、装飾体４１の半球体の底面よりも一回り大きい上面を有する円筒部と、円筒部の底面から側面方向にフランジ状に突出する縁部を備えた、所謂カンカン帽形状に構成される。
【００２４】
スペーサ部４３は、台座部４２と同形・同大の円板状部材であって、中心に音発生手段２０が通過できる大きさの丸穴を備えたドーナツ形状に構成される。本実施形態では、このようなスペーサ部４３が２つ備えられ、台座部４２の底面側の上下方向に所定間隔をもって配置されるようになっている。
脚部４４は、２つのスペーサ部４３を貫通して台座部４２のフランジ部底面に係合・嵌入される複数の円筒棒状に構成される。この脚部４４を介して２つのスペーサ部４３と台座部４２が連結されて、２つのスペーサ部４３と台座部４２の底面には、所定間隔の隙間・スリットが外周方向に沿って形成されるようなる。
【００２５】
ここで、脚部４４は、揺動本体１０の取付穴１１に係合・嵌入可能の円筒棒状に形成され、８個の取付穴１１に対応する８本の脚部４４が備えられている。
また、２つのスペーサ部４３には、図２に示すように、８個の脚部４４がそれぞれ挿入・貫通する貫通穴４３ａが備えられており、揺動本体１０の取付穴１１と同様に、スペーサ部４３の中心丸穴の周縁に沿って、４５度間隔で８個の貫通穴４３ａが形成されるようになっている。
同様に、台座部４２の底面には、スペーサ部４３を貫通した８個の脚部４４がそれぞれ挿入・嵌合する８個の嵌合穴（図示せず）が４５度間隔で形成されている。
このような脚部４４と貫通穴・嵌合穴を介した組立構造により、蓋部４０は、揺動本体１０に対して、ネジなどの治具や取付部材を必要とすることなく、木製部材同士の嵌め合い構造のみによって組み立てることができるようになる。
【００２６】
以上のような蓋部４０が揺動本体１０の上面側に取り付けられて組み立てられることにより、収納部３０の上面が蓋部４０によって覆われ、収納部３０に収納された音発生手段２０は外部から見えないように隠される。
また、蓋部４０には、２つのスペーサ部４３と台座部４２の底面に、所定間隔で隙間・スリットが形成され、また、収納部３０に収納された音発生手段２０の上方周囲に空間が形成され、この空間によって収納部３０の共鳴空間３１，３２が揺動本体１０の外部と連通されるようなる。
【００２７】
これによって、揺動本体１０の揺動によって音発生手段２０から発せられ、共鳴空間３１，３２において共鳴・増幅された音が、蓋部４０によって形成される空間・隙間を介して揺動本体１０の外部に発せられて、美しい音色として響き渡るようになる。
なお、上述した蓋部４０を構成する各部の大きさや形状，数などは一例であり、蓋部４０の形状や大きさなどは、例えば起き上がり玩具１の目的や対象などに応じて適宜設定・変更することができる。
【００２８】
［動作］
以上のような構成からなる起き上がり玩具１は、揺動本体１０の収納部３０に音発生手段２０が収納された状態で組み立てられて、例えば机や床面などに載置して静止状態とすることができる。
起き上がり玩具１は、静止状態では、木製のおもちゃ・置物として、美観を楽しむことができる。
そして、起き上がり玩具１のいずれかの部分、例えば揺動本体１０や蓋部４０の表面が指などで押されることで、揺動本体１０が揺動し、起き上がり玩具１の全体がゆらゆらと揺れたりゆっくりと回転したりする。
【００２９】
揺動本体１０が揺動・回転すると、揺動本体１０の収納部３０に収納された音発生手段２０を構成するオルゴールが鳴り、音が共鳴空間３１，３２において共鳴・増幅されつつ、蓋部４０のスペーサ部４３及び台座部４２の間の隙間から外部に発せられ、美しい音色やメロディーが起き上がり玩具１の周囲に響き渡るようになる。
起き上がり玩具１の揺動動作は、外部からの押圧などがなくなれば、次第に揺動が収まっていき、揺動本体１０の自重・重心によって徐々に元の状態に戻り、最終的に静止状態となる。
上記の動作を繰り返すことにより、起き上がり玩具１は、ゆらゆらと揺れる揺動と、内部から聞こえてくるオルゴール音を楽しむことができる。
【００３０】
以上説明したように、本考案の一実施形態に係る起き上がり玩具１によれば、木製の揺動本体１０及び蓋部４０によって、質感や素材感に富んだ外観を付与することができ、高級感に溢れた玩具として、また、置物として提供することができる。
また、木製の揺動本体１０の内部に収納された音発生手段２０は、収納部３０の共鳴空間３１，３２によって音が共鳴・増幅され、蓋部４０の隙間から外部に音が響くようになり、揺動本体１０のゆらゆらと揺れる揺動に合わせて、柔らかな音を内部から外部に響かせることができる。
また、木製の揺動本体１０及び蓋部４０は、角や突出部分のない、全体が丸く面取り加工・研磨加工された滑らかな外観・表面を有し、また、木部材の組立構造によって、強度に優れ壊れにくい構造とすることができ、安全な玩具を提供することができる。
【００３１】
以上、本考案の起き上がり玩具の好ましい実施形態について説明したが、本考案に係る起き上がり玩具は上述した実施形態にのみ限定されるものではなく、本考案の範囲で種々の変更実施が可能であることは言うまでもない。
例えば、上述した実施形態では、音発生手段として、円筒形状のケース体からなるオルゴールを用いていたが、オルゴールの構成は円筒形状に限定されるものではなく、例えば四角筒形状や三角筒形状，箱状など、揺動本体の内部に収納・配置可能である限り、どのような外形・大きさであってもよい。
【００３２】
また、本考案に係る音発生手段は、オルゴールに限らず、他の手段を用いることもでき、例えば鈴や風鈴，鐘など、揺動本体が揺動することに連動して音を発生することができるものであれば、どのような手段を用いることもできる。
また、蓋部４０に備えられる装飾体は、上述した実施形態では、半球体に小さな３つの球体を連結させた構成となっていたが、これに限らず、例えば動物や人形などを象った装飾体を備えることも可能である。
【産業上の利用可能性】
【００３３】
本考案は、安心して楽しく遊べる起き上がり玩具として好適に利用することができる。
【符号の説明】
【００３４】
１  起き上がり玩具
１０  揺動本体
２０  音発生手段
３０  収納部
３１，３２  共鳴空間
４０  蓋部
【図１】
0003218166.tif 000003
【図２】
0003218166.tif 000004
【図３】
0003218166.tif 000005